(57)【要約】  本発明は、被検体に５−アミノレブリン酸類を投与した後、細胞内に蓄積されたプロトポルフィリンＩＸに光を照射する光線力学的療法の条件パラメータを決定する方法であって、実験段階において、細胞生存率（Ｙ）、細胞内プロトポルフィリンＩＸ蓄積量（Ｘ）および光照射エネルギー密度（Ｐ）の３つの条件パラメータ間の相関関係を表す回帰曲線を算出するステップと、治療開始前に、細胞生存率（Ｙ）、細胞内プロトポルフィリンＩＸ蓄積量（Ｘ）および光照射エネルギー密度（Ｐ）のうちの２つの条件パラメータを予め選択し、前記回帰曲線を用いて残りの条件パラメータを決定するステップとを含む。こうした手法により、光線力学的療法の最適化が図られる。
2020170330.tif 000002
【特許請求の範囲】
【請求項１】
被検体に５−アミノレブリン酸類を投与した後、細胞内に蓄積されたプロトポルフィリンＩＸに光を照射する光線力学的療法の条件パラメータを決定する方法であって、
プロセッサによって、実験段階において、細胞生存率（Ｙ）、細胞内プロトポルフィリンＩＸ蓄積量（Ｘ）および光照射エネルギー密度（Ｐ）の３つの条件パラメータ間の相関関係を表す回帰曲線を算出するステップと、
プロセッサによって、治療開始前に、細胞生存率（Ｙ）、細胞内プロトポルフィリンＩＸ蓄積量（Ｘ）および光照射エネルギー密度（Ｐ）のうちの２つの条件パラメータを予め選択し、前記回帰曲線を用いて残りの条件パラメータを決定するステップと、を含む光線力学的療法条件パラメータの決定方法。
【請求項２】
前記回帰曲線は、４つのパラメータＡ〜Ｄを用いた下記のモデル式で表される請求項１記載の光線力学的療法条件パラメータの決定方法。
Ｙ＝（Ａ−Ｄ）／（１＋（Ｘ／Ｃ）＾Ｂ）＋Ｄ
【請求項３】
細胞は、白血病、腫瘍、癌、ウィルス感染症、皮膚疾患、眼疾患、自己免疫疾患および移植片対宿主病（ＧＶＨＤ）からなるグループから選ばれたプロトポルフィリンＩＸ蓄積性疾患を有する請求項１記載の光線力学的療法条件パラメータの決定方法。
【請求項４】
被検体に５−アミノレブリン酸類を投与した後、細胞内に蓄積されたプロトポルフィリンＩＸに光を照射するための光源と、
光照射エネルギー密度（Ｐ）を制御する光量制御部と、
データを入力するデータ入力部と、
データを演算するプロセッサと、
データを記録するデータ記憶部と、を備え、
前記プロセッサは、実験段階において、細胞生存率（Ｙ）、細胞内プロトポルフィリンＩＸ蓄積量（Ｘ）および光照射エネルギー密度（Ｐ）の３つの条件パラメータ間の相関関係を表す回帰曲線を算出し、
治療開始前に、細胞生存率（Ｙ）、細胞内プロトポルフィリンＩＸ蓄積量（Ｘ）および光照射エネルギー密度（Ｐ）のうちの２つの条件パラメータを予め選択し、前記回帰曲線を用いて残りの条件パラメータを決定する、光線力学的療法装置。
【請求項５】
前記回帰曲線は、４つのパラメータＡ〜Ｄを用いた下記のモデル式で表される請求項４記載の光線力学的療法装置。
Ｙ＝（Ａ−Ｄ）／（１＋（Ｘ／Ｃ）＾Ｂ）＋Ｄ
【請求項６】
細胞は、白血病、腫瘍、癌、ウィルス感染症、皮膚疾患、眼疾患、自己免疫疾患および移植片対宿主病（ＧＶＨＤ）からなるグループから選ばれたプロトポルフィリンＩＸ蓄積性疾患を有する請求項４記載の光線力学的療法装置。
【請求項７】
請求項１〜３のいずれかに係る光線力学的療法条件パラメータの決定方法によって決定された細胞内プロトポルフィリンＩＸ蓄積量（Ｘ）に対応する投与量を有する５−アミノレブリン酸類を含む光線力学的療法用組成物。
【請求項８】
被検体に５−アミノレブリン酸類を投与した後、光を照射することでプロトポルフィリンＩＸの蓄積した細胞を不活性化する光線力学的療法における光照射条件を決定する方法であって、
上記被検体から取り出した細胞におけるプロトポルフィリンＩＸの蓄積量を測定するステップと、
上記ステップにて測定されたプロトポルフィリンＩＸの蓄積量に基づき、予め定められた関係式を使用して光照射エネルギー密度を決定するステップと、を含む光線力学的療法における光照射条件の決定方法。
【請求項９】
上記関係式は、予め算出した、細胞生存率（Ｙ）、細胞内プロトポルフィリンＩＸ蓄積量（Ｘ）および光照射エネルギー密度（Ｐ）の３つの条件パラメータ間の相関関係を表す回帰曲線に基づいて定められる請求項８記載の光線力学的療法における光照射条件の決定方法。
【請求項１０】
上記関係式は、プロトポルフィリンＩＸ蓄積量（Ｘ）と光照射エネルギー密度（Ｐ）との関係を示すルックアップテーブルを含む請求項８または９記載の光線力学的療法における光照射条件の決定方法。
【請求項１１】
上記測定されたプロトポルフィリンＩＸ蓄積量が所定値未満の場合には、複数回の光照射を決定する、請求項８〜１０のいずれかに記載の光線力学的療法における光照射条件の決定方法。
【請求項１２】
前記回帰曲線を用いて決定された条件パラメータを用いた治療を実施した後に、被検体の細胞生存率を計測し、得られた細胞生存率に基づいて細胞内プロトポルフィリンＩＸ蓄積量を推定するステップと、
次の治療開始前に、推定した細胞内プロトポルフィリンＩＸ蓄積量を用いて、光照射エネルギー密度および５−アミノレブリン酸類投与量を再設定するステップと、をさらに含む請求項１〜３のいずれかに記載の光線力学的療法条件パラメータの決定方法。
【発明の詳細な説明】
【技術分野】
【０００１】
本発明は、５−アミノレブリン酸類を用いた光線力学的療法に関する。
【背景技術】
【０００２】
光線力学的療法（ｐｈｏｔｏｄｙｎａｍｉｃ  ｔｈｅｒａｐｙ：ＰＤＴ）とは、光感受性物質又はその前駆体を投与し、腫瘍組織や新生血管、皮膚表面などの患部に集積させ、光感受性物質の吸収帯波長に対応する光線を励起光として照射して、励起により生成される一重項酸素をはじめとする活性酸素種の殺細胞効果を利用した治療法である。【０００３】
アミノレブリン酸（５−ａｍｉｎｏｌｅｖｕｌｉｎｉｃ  ａｃｉｄ：５−ＡＬＡ）類は経口吸収性を有する物質であり、細胞内ミトコンドリアにおいてヘムが生合成される過程でプロトポルフィリンＩＸ（ｐｒｏｔｏｐｏｒｐｈｙｒｉｎ  ＩＸ：ＰｐＩＸ）に代謝される。ＰｐＩＸはソーレー帯と呼ばれる４１０ｎｍ付近の吸収帯とＱ帯と呼ばれる５００−６５０ｎｍ付近の吸収帯をもち、これら吸収帯波長の光線を照射することによって活性酸素種を発生する光感受性物質であり、ＰＤＴに用いられる。【０００４】
５−ＡＬＡ類を用いたＰＤＴにおいては、特許文献１において５−ＡＬＡ濃度依存的に５−ＡＬＡから生合成されたＰｐＩＸの細胞内蓄積が増加し、細胞の光照射に対する感受性が増加、すなわち細胞が死滅しやすくなったことが示されている。また、細胞内ＰｐＩＸ蓄積量の他に、ＰＤＴの効果は光線照度と照射時間の積算値である光照射エネルギー密度にも依存することは当該技術分野において公知である（特許文献２）。【０００５】
上記のように傾向としてこれらに依存関係があることが知られている一方で、ＰＤＴでの殺細胞効果に対する細胞内ＰｐＩＸ蓄積量と光照射エネルギー密度との厳密な関係性はこれまで解明されていない。また、標的細胞の種類、由来や原疾患が異なる場合における殺細胞効果に対するこれらの依存関係について、標的細胞の種類や由来等を超えた関連性、相似性は一切分かっていない。【０００６】
また特許文献３，４および非特許文献１もＰＤＴに関するものであるが、ＰＤＴでの殺細胞効果に対する細胞内ＰｐＩＸ蓄積量と光照射エネルギー密度との厳密な関係性について何ら開示していない。
【先行技術文献】
【特許文献】
【０００７】
【特許文献１】国際公開第２０１５／１２５７３２号公報
【特許文献２】特表２０１７−５２６３７１号公報
【特許文献３】特許第５６１２２４６号
【特許文献４】米国特許第６６０９０１４号明細書
【非特許文献】
【０００８】
【非特許文献１】Ouyang G. et al., "Inhibition of autophagy potentiates the apoptosis-inducing effects of photodynamic therapy on human colon cancer cells", Photodiagnosis Photodyn Ther. 2018; 21: 396-403
【発明の概要】
【発明が解決しようとする課題】
【０００９】
ＰＤＴにおいて、過度の光線照射は正常細胞を殺傷して副作用の増大を招く一方、過小な照射は標的細胞を十分に死滅させることができない。【００１０】
本発明の目的は、光線力学的療法の条件パラメータを正確に決定することによって、光線力学的療法の最適化が図られる光線力学的療法条件パラメータの決定方法を提供することである。【００１１】
また本発明の目的は、こうした光線力学的療法条件パラメータの決定方法を用いた光線力学的療法装置を提供することである。
【課題を解決するための手段】
【００１２】
本発明では、細胞種差なくその細胞内ＰｐＩＸ蓄積量と光照射エネルギー密度によって細胞死が、ある回帰曲線、例えば、４パラメータ・ロジスティックモデルで曲線回帰することが判明した。これによってＰｐＩＸ蓄積性が認められる対象疾患において、適正な光照射エネルギー量と光感受性物質投与量の決定、ならびに治療効果の予測を提供することができる。【００１３】
即ち、本発明は、５−アミノレブリン酸類を投与した後、細胞内に蓄積されたプロトポルフィリンＩＸに光を照射する光線力学的療法の条件パラメータを決定する方法であって、
プロセッサによって、実験段階において、細胞生存率（Ｙ）、細胞内プロトポルフィリンＩＸ蓄積量（Ｘ）および光照射エネルギー密度（Ｐ）の３つの条件パラメータ間の相関関係を表す回帰曲線を算出するステップと、
プロセッサによって、治療開始前に、細胞生存率（Ｙ）、細胞内プロトポルフィリンＩＸ蓄積量（Ｘ）および光照射エネルギー密度（Ｐ）のうちの２つの条件パラメータを予め選択し、前記回帰曲線を用いて残りの条件パラメータを決定するステップと、を含む。【００１４】
また本発明に係る光線力学的療法装置は、５−アミノレブリン酸類を投与した後、細胞内に蓄積されたプロトポルフィリンＩＸに光を照射するための光源と、
光照射エネルギー密度（Ｐ）を制御する光量制御部と、
データを入力するデータ入力部と、
データを演算するプロセッサと、
データを記録するデータ記憶部と、を備え、
前記プロセッサは、実験段階において、細胞生存率（Ｙ）、細胞内プロトポルフィリンＩＸ蓄積量（Ｘ）および光照射エネルギー密度（Ｐ）の３つの条件パラメータ間の相関関係を表す回帰曲線を算出し、
治療開始前に、細胞生存率（Ｙ）、細胞内プロトポルフィリンＩＸ蓄積量（Ｘ）および光照射エネルギー密度（Ｐ）のうちの２つの条件パラメータを予め選択し、前記回帰曲線を用いて残りの条件パラメータを決定する。【００１５】
前記回帰曲線は、４つのパラメータＡ〜Ｄを用いた下記のモデル式で表されることが好ましい。
Ｙ＝（Ａ−Ｄ）／（１＋（Ｘ／Ｃ）＾Ｂ）＋Ｄ【００１６】
また細胞は、白血病、腫瘍、癌、ウィルス感染症、皮膚疾患、眼疾患、自己免疫疾患および移植片対宿主病（ＧＶＨＤ）からなるグループから選ばれたプロトポルフィリンＩＸ蓄積性疾患を有することが好ましい。【００１７】
また本発明は、上記光線力学的療法条件パラメータの決定方法によって決定された細胞内プロトポルフィリンＩＸ蓄積量（Ｘ）に対応する投与量を有する５−アミノレブリン酸類を含む光線力学的療法用組成物に関する。【００１８】
また本発明は、被検体に５−アミノレブリン酸類を投与した後、光を照射することでプロトポルフィリンＩＸの蓄積した細胞を不活性化する光線力学的療法における光照射条件を決定する方法であって、
プロセッサによって、上記被検体から取り出した細胞におけるプロトポルフィリンＩＸの蓄積量を測定するステップと、
プロセッサによって、上記ステップにて測定されたプロトポルフィリンＩＸの蓄積量に基づき、予め定められた関係式を使用して光照射エネルギー密度を決定するステップと、を含む。【００１９】
上記関係式は、予め算出した、細胞生存率（Ｙ）、細胞内プロトポルフィリンＩＸ蓄積量（Ｘ）および光照射エネルギー密度（Ｐ）の３つの条件パラメータ間の相関関係を表す回帰曲線に基づいて定められることが好ましい。【００２０】
上記関係式は、プロトポルフィリンＩＸ蓄積量（Ｘ）と光照射エネルギー密度（Ｐ）との関係を示すルックアップテーブルを含むことが好ましい。【００２１】
上記測定されたプロトポルフィリンＩＸ蓄積量が所定値未満の場合には、複数回の光照射を決定することが好ましい。【００２２】
また本発明に係る光線力学的療法の条件パラメータを決定する方法は、
プロセッサによって、前記回帰曲線を用いて決定された条件パラメータを用いた治療を実施した後に、被検体の細胞生存率を計測し、得られた細胞生存率に基づいて細胞内プロトポルフィリンＩＸ蓄積量を推定するステップと、
プロセッサによって、次の治療開始前に、推定した細胞内プロトポルフィリンＩＸ蓄積量を用いて、光照射エネルギー密度および５−アミノレブリン酸類投与量を再設定するステップと、をさらに含むことが好ましい。【００２３】
なお本発明において、５−アミノレブリン酸類（ＡＬＡ類）とは、５−アミノレブリン酸（ＡＬＡ）もしくはその誘導体、またはこれらの塩を含む。こうした５−アミノレブリン酸類の投与は、静脈内注射、点滴、経口投与、経皮投与、座薬、膀胱内注入などの各種の投与形態が採用できる。
【発明の効果】
【００２４】
光線力学的療法における問題点は、過度の光線照射は正常細胞を殺傷して副作用の増大を招く一方、過小な照射は標的細胞を十分に死滅させることができないことである。そこで本発明による回帰分析結果を適応することによって、治療対象疾患（白血病など）の標的細胞の細胞内プロトポルフィリンＩＸ蓄積量から、細胞死を適切に誘導する光照射エネルギー密度又は光感受性物質投与量を決定することができる。【００２５】
またプロトポルフィリンＩＸ蓄積量と殺細胞効果の相関から有効なプロトポルフィリンＸ蓄積量を算出した上で、有効プロトポルフィリンＩＸ蓄積量を超えたがん細胞集団を算出し、最終的に臨床効果を達成するための照射量、回数等を見積もることができる。
【図面の簡単な説明】
【００２６】
【図１】本発明に係る光線力学的療法装置の一例を示すブロック図である。
【図２】本発明に係る光線力学的療法条件パラメータの決定方法の一例を示すフローチャートである。
【図３】ヒト成人Ｔ細胞白血病由来の４種の細胞株についての回帰分析結果の一例を示すグラフである。
【図４】ヒトＴ細胞白血病由来のＪｕｒｋａｔ細胞についての回帰分析結果の一例を示すグラフである。
【発明を実施するための形態】
【００２７】
図１は、本発明に係る光線力学的療法装置の一例を示すブロック図である。光線力学的療法装置は、光源２０と、光量制御部２１と、データを演算するプロセッサ１０と、データを入力するデータ入力部１１と、データを記憶するデータ記憶部１２と、データを出力するデータ出力部１３などで構成される。
【００２８】
光源２０は、被検体に５−アミノレブリン酸類（ＡＬＡ類）を投与した後、細胞内に蓄積されたプロトポルフィリンＩＸ（ＰｐＩＸ）に光を照射する機能を有する。光の波長は、ＰｐＩＸの吸収波長、例えば、４１０ｎｍ、５４５ｎｍ、５８０ｎｍ、６３０ｎｍなどに設定される。光量制御部２１は、光源２０から放射される光の光照射エネルギー密度（Ｐ）を制御する。
【００２９】
プロセッサ１０は、予め設定されたプログラムに従って、装置全体の制御、データ処理などを実施する。データ入力部１１は、キーボード、タッチパネル、マウスなど手入力デバイス、または有線通信、無線通信による遠隔入力デバイスを含む。データ記憶部１２は、半導体メモリ、ハードディスク、光ディスクなどで構成される。データ出力部１３は、ディスプレイ、プリンタなどで構成される。
【００３０】
図２は、本発明に係る光線力学的療法条件パラメータの決定方法の一例を示すフローチャートである。まずステップｓ１において、実験段階において、被検体に種々の投与量を有するＡＬＡ類を投与した後、細胞内に蓄積されたＰｐＩＸ量を測定する。この測定法は、例えば、蛍光検出高速液体クロマトグラフィー法やフローサイトメーター等が利用できる。測定した細胞内ＰｐＩＸ蓄積量は、データ入力部１１を介して入力され、データ記憶部１２に記憶される。
【００３１】
次にステップｓ２において、種々のＰｐＩＸ蓄積量を有する細胞に対して種々の光照射エネルギー密度（単位面積当りのジュール）で光を照射し、個々の細胞の生存率を測定する。使用した種々の光照射エネルギー密度および、測定した個々の細胞の生存率は、データ入力部１１を介して入力され、データ記憶部１２に記憶される。次に、プロセッサ１０は、所定の統計解析ソフトウェアに従って、データ記憶部１２に記憶された細胞生存率（Ｙ）、細胞内ＰｐＩＸ蓄積量（Ｘ）および光照射エネルギー密度（Ｐ）の３つの条件パラメータについて回帰分析およびフィッティングを実施し、条件パラメータ間の相関関係を表す回帰曲線を算出する。回帰曲線は、任意のモデル式が想定できるが、４つのパラメータＡ〜Ｄを用いた下記のモデル式（１）で表すことが好ましい。算出した回帰曲線および該回帰曲線を定義するパラメータＡ〜Ｄは、データ記憶部１２に記憶するとともに、データ出力部１３に表示できる。
【００３２】
Ｙ＝（Ａ−Ｄ）／（１＋（Ｘ／Ｃ）＾Ｂ）＋Ｄ      …（１）
【００３３】
次にステップｓ３において、治療開始前に、データ入力部１１を介して、細胞生存率（Ｙ）、細胞内ＰｐＩＸ蓄積量（Ｘ）および光照射エネルギー密度（Ｐ）のうちの２つの条件パラメータを予め選択し、プロセッサ１０は、データ記憶部１２に記憶した回帰曲線を用いて残りの条件パラメータを決定する。予め選択した２つの条件パラメータおよび決定した条件パラメータは、データ記憶部１２に記憶するとともに、データ出力部１３に表示できる。なお、光照射は、１回だけでなく、２回以上に分けて実施してもよく、その場合は各照射回のエネルギー密度の合計が光照射エネルギー密度（Ｐ）となる。
【００３４】
例えば、１）細胞生存率（Ｙ）および細胞内ＰｐＩＸ蓄積量（Ｘ）を予め選択した場合、前記回帰曲線を用いて光照射エネルギー密度（Ｐ）が決定できる。決定した光照射エネルギー密度（Ｐ）は、光量制御部２１に供給され、光源２０から放射される光の照射量、照射回数を制御する。
【００３５】
また、２）細胞生存率（Ｙ）および光照射エネルギー密度（Ｐ）を予め選択した場合、前記回帰曲線を用いて細胞内ＰｐＩＸ蓄積量（Ｘ）が決定できる。この場合、こうして決定された細胞内ＰｐＩＸ蓄積量（Ｘ）に対応する投与量を有する５−アミノレブリン酸類を含む光線力学的療法用組成物が生産できる。
【００３６】
また、３）細胞内ＰｐＩＸ蓄積量（Ｘ）および光照射エネルギー密度（Ｐ）を予め選択した場合、前記回帰曲線を用いて細胞生存率（Ｙ）が決定できる。
【００３７】
回帰曲線を用いる場合、数式を使用してもよいが、各条件パラメータＰ，Ｘ，Ｙの相関関係をデジタル形式でデータベースに変換したルックアップテーブルを使用することも可能である。
【実施例１】
【００３８】
ヒト成人Ｔ細胞白血病（ＡＴＬ）由来の４種の細胞株（ＡＴＮ−１，ＴＬ−Ｏｍ１，ＨｕＴ１０２及びＭＴ−１）及び１種のＨＴＬＶ−１トランスフォーム細胞株（Ｃ８１６６）を用いて、５−ＡＬＡ負荷（０，０．０６２５，０．１２５，０．２５及び０．５ｍｍｏｌ／Ｌ）によって細胞内に蓄積するプロトポルフィリンＩＸ（ＰｐＩＸ）量を蛍光検出高速液体クロマトグラフィー法にて測定し、さらにＰＤＴによる殺細胞試験としてすべての細胞に中心波長６３０ｎｍの光線照射（１０，３０及び１００Ｊ／ｃｍ２）を行い、細胞数測定キットCell Counting Kit-8による細胞生存率（％）を算出した。すべての細胞株の結果について、光照射エネルギー密度毎に縦軸に細胞生存率、横軸に細胞内ＰｐＩＸ蓄積量をプロットし、統計解析ソフトウェアSAS software Release 9.3にて回帰分析を実施した（図３）。その結果、いずれの光照射エネルギー密度においても４パラメータ・ロジスティックモデルに収束し（表１）、細胞株間差なく細胞内ＰｐＩＸ蓄積量と光照射エネルギー密度によって細胞死が曲線回帰することが認められ、厳密にこの関係性が規定できることが明確となった。【００３９】
【表１】
2020170330.tif 000003
【実施例２】
【００４０】
ヒト成人Ｔ細胞白血病とは疾患分類が異なるヒトＴ細胞白血病由来のＪｕｒｋａｔ細胞について、５−ＡＬＡ負荷（０，０．０６２５，０．１２５，０．２５，０．５及び１ｍｍｏｌ／Ｌ）によって細胞内に蓄積するプロトポルフィリンＩＸ量を蛍光検出高速液体クロマトグラフィー法にて測定し、さらにＰＤＴによる殺細胞試験として中心波長６３０ｎｍの光線照射（３０Ｊ／ｃｍ２）を行い、細胞数測定キットCell Counting Kit-8による細胞生存率（％）を算出した。その結果、細胞生存率は、図３に記載された回帰曲線上に位置し、疾患分類が異なる白血病においても厳密にこの関係性が成り立つことが証明された（図４）。
【実施例３】
【００４１】
（臨床使用のおける一形態）
がん患者が５−ＡＬＡ類を服用した後、患者がん細胞内に蓄積したＰｐＩＸ蓄積量（Ｘ）を測定し、この細胞内ＰｐＩＸ蓄積量と殺細胞効果の治療目標値（細胞生存率（Ｙ）に対応）を光線力学的療法装置に入力する。光線力学的療法装置は、入力された値からあらかじめプログラムされた回帰曲線、あるいは回帰曲線から導かれた段階的なレンジを有するルックアップテーブルを参照して、治療目標値に対応する光照射エネルギー密度（Ｐ）を決定し、治療を実施する。このとき、細胞内ＰｐＩＸ蓄積量、殺細胞効果の治療目標値、光照射エネルギー密度は連続的な値であっても段階的な値であってもよい。
【実施例４】
【００４２】
（臨床使用のおける一形態）
治療対象の細胞内ＰｐＩＸ蓄積量（Ｘ）を測定し、この値を光線力学的療法装置に入力する。入力された細胞内ＰｐＩＸ蓄積量からあらかじめプログラムされた回帰曲線、あるいは回帰曲線から導かれた段階的なレンジを有するルックアップテーブルを参照して、任意の光照射エネルギー密度（Ｐ）に対する細胞生存率（Ｙ）を算出することができ、治療効果予測や治療実施を行う。細胞内ＰｐＩＸ蓄積量、光照射エネルギー密度、細胞生存率は連続的な値であっても段階的な値であってもよい。
【実施例５】
【００４３】
（臨床使用のおける一形態）
上述した回帰曲線またはルックアップテーブルを用いて決定された条件パラメータ（例えば、光照射エネルギー密度）を用いて、患者に対して１回あるいは複数回の光線力学的療法を実施した後に、患者の細胞生存率を計測する。そのときの光照射エネルギー密度と細胞生存率から、光線力学的療法装置にプログラムされた回帰曲線に基づき、患者がん細胞の細胞内ＰｐＩＸ蓄積量（Ｘ）あるいは蓄積量の範囲が算出される。
【実施例６】
【００４４】
（臨床使用のおける一形態）
さらに上記にて治療実施後に算出されたＰｐＩＸ蓄積量（Ｘ）から、医療従事者は、次の光線力学的治療を実施する際に目標とする治療効果を得るため、光照射エネルギー密度（Ｐ）や５−ＡＬＡ投与量を光線力学的療法装置にプログラムされた回帰曲線に基づき再設定することができる。
【産業上の利用可能性】
【００４５】
本発明は、光線力学的療法の最適化が図られる点で、産業上極めて有用である。
【符号の説明】
【００４６】
１０  プロセッサ、  １１  データ入力部、  １２  データ記憶部、
１３  データ出力部、  ２０  光源、  ２１  光量制御部
【図１】
2020170330.tif 000004
【図２】
2020170330.tif 000005
【図３】
2020170330.tif 000006
【図４】
2020170330.tif 000007
【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
被検体に５−アミノレブリン酸類を投与した後、細胞内に蓄積されたプロトポルフィリンＩＸに光を照射する光線力学的療法の条件パラメータを決定する方法であって、
プロセッサによって、実験段階において、細胞生存率（Ｙ）、細胞内プロトポルフィリンＩＸ蓄積量（Ｘ）および光照射エネルギー密度（Ｐ）の３つの条件パラメータ間の相関関係を表す回帰曲線を算出するステップと、
プロセッサによって、治療開始前に、細胞生存率（Ｙ）、細胞内プロトポルフィリンＩＸ蓄積量（Ｘ）および光照射エネルギー密度（Ｐ）のうちの２つの条件パラメータを予め選択し、前記回帰曲線を用いて残りの条件パラメータを決定するステップと、を含む光線力学的療法条件パラメータの決定方法。
【請求項２】
前記回帰曲線は、４つのパラメータＡ〜Ｄを用いた下記のモデル式で表される請求項１記載の光線力学的療法条件パラメータの決定方法。
Ｙ＝（Ａ−Ｄ）／（１＋（Ｘ／Ｃ）＾Ｂ）＋Ｄ
【請求項３】
細胞は、白血病、腫瘍、癌、ウィルス感染症、皮膚疾患、眼疾患、自己免疫疾患および移植片対宿主病（ＧＶＨＤ）からなるグループから選ばれたプロトポルフィリンＩＸ蓄積性疾患を有する請求項１記載の光線力学的療法条件パラメータの決定方法。
【請求項４】
被検体に５−アミノレブリン酸類を投与した後、細胞内に蓄積されたプロトポルフィリンＩＸに光を照射するための光源と、
光照射エネルギー密度（Ｐ）を制御する光量制御部と、
データを入力するデータ入力部と、
データを演算するプロセッサと、
データを記録するデータ記憶部と、を備え、
前記プロセッサは、実験段階において、細胞生存率（Ｙ）、細胞内プロトポルフィリンＩＸ蓄積量（Ｘ）および光照射エネルギー密度（Ｐ）の３つの条件パラメータ間の相関関係を表す回帰曲線を算出し、
治療開始前に、細胞生存率（Ｙ）、細胞内プロトポルフィリンＩＸ蓄積量（Ｘ）および光照射エネルギー密度（Ｐ）のうちの２つの条件パラメータを予め選択し、前記回帰曲線を用いて残りの条件パラメータを決定する、光線力学的療法装置。
【請求項５】
前記回帰曲線は、４つのパラメータＡ〜Ｄを用いた下記のモデル式で表される請求項４記載の光線力学的療法装置。
Ｙ＝（Ａ−Ｄ）／（１＋（Ｘ／Ｃ）＾Ｂ）＋Ｄ
【請求項６】
細胞は、白血病、腫瘍、癌、ウィルス感染症、皮膚疾患、眼疾患、自己免疫疾患および移植片対宿主病（ＧＶＨＤ）からなるグループから選ばれたプロトポルフィリンＩＸ蓄積性疾患を有する請求項４記載の光線力学的療法装置。
【請求項７】
請求項１〜３のいずれかに係る光線力学的療法条件パラメータの決定方法によって決定された細胞内プロトポルフィリンＩＸ蓄積量（Ｘ）に対応する投与量を有する５−アミノレブリン酸類を含む光線力学的療法用組成物。
【請求項８】
被検体に５−アミノレブリン酸類を投与した後、光を照射することでプロトポルフィリンＩＸの蓄積した細胞を不活性化する光線力学的療法における光照射条件を決定する方法であって、
プロセッサによって、上記被検体から取り出した細胞におけるプロトポルフィリンＩＸの蓄積量を測定するステップと、
プロセッサによって、上記ステップにて測定されたプロトポルフィリンＩＸの蓄積量に基づき、予め定められた関係式を使用して光照射エネルギー密度を決定するステップと、を含む光線力学的療法における光照射条件の決定方法。
【請求項９】
上記関係式は、予め算出した、細胞生存率（Ｙ）、細胞内プロトポルフィリンＩＸ蓄積量（Ｘ）および光照射エネルギー密度（Ｐ）の３つの条件パラメータ間の相関関係を表す回帰曲線に基づいて定められる請求項８記載の光線力学的療法における光照射条件の決定方法。
【請求項１０】
上記関係式は、プロトポルフィリンＩＸ蓄積量（Ｘ）と光照射エネルギー密度（Ｐ）との関係を示すルックアップテーブルを含む請求項８または９記載の光線力学的療法における光照射条件の決定方法。
【請求項１１】
上記測定されたプロトポルフィリンＩＸ蓄積量が所定値未満の場合には、複数回の光照射を決定する、請求項８〜１０のいずれかに記載の光線力学的療法における光照射条件の決定方法。
【請求項１２】
プロセッサによって、前記回帰曲線を用いて決定された条件パラメータを用いた治療を実施した後に、被検体の細胞生存率を計測し、得られた細胞生存率に基づいて細胞内プロトポルフィリンＩＸ蓄積量を推定するステップと、
プロセッサによって、次の治療開始前に、推定した細胞内プロトポルフィリンＩＸ蓄積量を用いて、光照射エネルギー密度および５−アミノレブリン酸類投与量を再設定するステップと、をさらに含む請求項１〜３のいずれかに記載の光線力学的療法条件パラメータの決定方法。
【国際調査報告】
2020170330.tif 000008
2020170330.tif 000009
2020170330.tif 000010
2020170330.tif 000011